(57)【特許請求の範囲】
【請求項１】
合成樹脂により平面四角形状に一体成形され、上面デッキと下面デッキの隅部を連結する隅部桁、前記両デッキの四側部の中間部を連結する中間桁及び両デッキの中央部を連結する中央桁を備えるとともに、隣接する桁同士の上端部及び下端部を連結する上部桟及び下部桟を上面デッキ及び下面デッキに備え、当該上部桟、下部桟、隅部桁及び中間桁に囲まれた位置にフォーク挿入孔を形成して四方差しとし、上面デッキの上面から下面デッキの下面までの長さを１３０ｍｍ以下に形成したパレットであって、
前記各隅部桁は平面長方形状をなし、上面デッキのコーナ部を形成する各隅部桁のコーナ部から同隅部桁内へ延びる斜めリブを形成し、当該斜めリブから、各隅部桁の両側の中間桁側へ延び隅部桁の隣接する一対の側壁と繋がる一対の仕切りリブを形成し、両仕切りリブを隅部桁の上端から下端にかけて形成するとともに、一方の仕切りリブから当該仕切りリブと対向する隅部桁の側壁に繋がる縦壁を形成して、一方の仕切りリブと、縦壁と、一対の側壁とにより隅部桁内のコーナ部に内部桁を形成し、
前記一対の仕切りリブそれぞれに対して少なくとも前記上部桟を連結するとともに、隣接する隅部桁同士を前記中間桁を介した上部桟により連結して、四隅の隅部桁の仕切りリブと上部桟とを四角環状に連結し、
平面長方形状をなす前記隅部桁の長側壁側に沿って延設される前記上部桟がその短側壁側に沿って形成される前記上部桟よりも密になるように形成し、
前記内部桁は、その内部で前記隅部桁の長側壁と短側壁との間に補強リブが架設されていることを特徴とするパレット。
【発明の詳細な説明】
【０００１】
【発明の属する技術分野】
この発明は、上面デッキ上に載置物を載置した状態で、フォーク挿入孔内にフォークリフト又はハンドリフトのフォークを挿入して運搬するように構成されたパレットに関するものである。より詳しくは、繰り返し使用可能に形成されるパレットよりも高さが低く形成されたワンウェイタイプのパレットにおいて、四隅の隅部桁の外力に対する強度を確保することができるように構成されたパレットに関するものである。
【０００２】
【従来の技術】
従来より、国外へ輸出される物品が載置物として載置された合成樹脂製のパレットとしては、国外へ運ばれた後、その運ばれた国で廃棄されるワンウェイタイプのものが知られている。このワンウェイタイプのパレットは、平面四角形状をなす上面デッキと下面デッキを備えている。さらに、上面デッキと下面デッキの隅部を連結する隅部桁、上面デッキと下面デッキの四側部の中間部を連結する中間桁及び上面デッキと下面デッキの中央部を連結する中央桁を備えている。
【０００３】
また、上面デッキ及び下面デッキには、隣接する桁同士を連結する上部桟及び下部桟が形成され、当該上部桟と、下部桟と、隅部桁と、中間桁とに囲まれた位置にはフォーク挿入孔が形成されている。そして、上面デッキ上に載置された載置物の荷重を上面デッキの上部桟、さらには隅部桁、中央桁及び中間桁で支持してパレットの変形を防止するようになっている。
【０００４】
【発明が解決しようとする課題】
ところが、上記従来のワンウェイタイプのパレットは、国内及び国外において、上面デッキ上に載置物が載置されず、複数段に積載された状態において、その積載高さを低くするため、繰り返し使用されるパレットよりも厚みが薄く形成されている。即ち、上面デッキの厚みが薄く形成されているとともに、各桁の高さが、繰り返し使用されるパレットの各桁の高さより低く形成されている。そのため、繰り返し使用されるパレットと比較して、各桁、特に隅部桁は荷重等の外力に対する強度が低いという問題があった。
【０００５】
本発明は、上記従来技術に存在する問題点に着目してなされたものである。その目的とするところは、繰り返し使用されるタイプよりも高さが低く形成されたワンウェイタイプにおいて、隅部桁の外力に対する強度を確保することができるパレットを提供することにある。
【０００６】
【課題を解決するための手段】
上記問題点を解決するために、請求項１に記載の発明は、合成樹脂により平面四角形状に一体成形され、上面デッキと下面デッキの隅部を連結する隅部桁、前記両デッキの四側部の中間部を連結する中間桁及び両デッキの中央部を連結する中央桁を備えるとともに、隣接する桁同士の上端部及び下端部を連結する上部桟及び下部桟を上面デッキ及び下面デッキに備え、当該上部桟、下部桟、隅部桁及び中間桁に囲まれた位置にフォーク挿入孔を形成して四方差しとし、上面デッキの上面から下面デッキの下面までの長さを１３０ｍｍ以下に形成したパレットであって、前記各隅部桁は平面長方形状をなし、上面デッキのコーナ部を形成する各隅部桁のコーナ部から同隅部桁内へ延びる斜めリブを形成し、当該斜めリブから、各隅部桁の両側の中間桁側へ延び隅部桁の隣接する一対の側壁と繋がる一対の仕切りリブを形成し、両仕切りリブを隅部桁の上端から下端にかけて形成するとともに、一方の仕切りリブから当該仕切りリブと対向する隅部桁の側壁に繋がる縦壁を形成して、一方の仕切りリブと、縦壁と、一対の側壁とにより隅部桁内のコーナ部に内部桁を形成し、前記一対の仕切りリブそれぞれに対して少なくとも前記上部桟を連結するとともに、隣接する隅部桁同士を前記中間桁を介した上部桟により連結して、四隅の隅部桁の仕切りリブと上部桟とを四角環状に連結し、平面長方形状をなす前記隅部桁の長側壁側に沿って延設される前記上部桟がその短側壁側に沿って形成される前記上部桟よりも密になるように形成し、前記内部桁は、その内部で前記隅部桁の長側壁と短側壁との間に補強リブが架設されていることを要旨とする。
【００１０】
【発明の実施の形態】
以下、この発明の実施形態を、図面に基づいて詳細に説明する。
図１に示すように、パレット１１は、合成樹脂により相対向する一対の長辺と、相対向する一対の短辺とにより平面四角形状、具体的には平面長方形状の直方体状に一体形成されているうえ、片面使用４方差しの構成となっている。すなわち、図２（ａ），（ｂ）に示すように、このパレット１１には、フォークリフト及びハンドリフトのフォークを挿入するためのフォーク挿入孔１２が合計４個（２対）設けられている。
【００１１】
さらに、図１に示すように、パレット１１の上端面には、水平方向に略格子状に延びる多数のリブにより四角板状に形成された上面デッキ１３が設けられている。一方、図５に示すように、パレット１１の下端面には水平方向に略格子状に延びる多数のリブにより四角板状に形成された下面デッキ１４が設けられている。
【００１２】
図１及び図２（ａ）、（ｂ）に示すように、パレット１１の各コーナ部には、上面デッキ１３と下面デッキ１４との隅部を連結する四角筒状の隅部桁２１が立設されている。上面デッキ１３と下面デッキ１４の四側部の中間部、即ち隣接する隅部桁２１間の中央位置には、四角筒状の中間桁２２が立設されている。さらに、図１に示すように、上面デッキ１３と下面デッキ１４の中央部、即ち対向する各一対の中間桁２２の中央位置には、四角筒状に形成された中央桁２３が立設されている。
【００１３】
そして、図２（ａ）、（ｂ）に示すように、隅部桁２１、中間桁２２及び中央桁２３は、パレット１１においてフォーク挿入孔１２を開口させつつ、上面デッキ１３を下面デッキ１４上に所定高さに支持している。また、パレット１１において、上面デッキ１３の上面から下面デッキ１４の下面へのパレット１１の上下方向への長さ、即ちパレット１１の高さＨ１は１３０ｍｍに設定されている。このパレット１１の高さＨ１は、繰り返し使用可能なパレットの高さ１５０ｍｍよりも低く形成されている。
【００１４】
そして、このパレット１１は、前記上面デッキ１３上に図示しない載置物を載置した状態で、その一側部に開口された左右一対のフォーク挿入孔１２内にフォークリフト又はハンドリフトのフォークを挿入して運搬するように構成されている。さらに、パレット１１は前記載置物を載置して国内から国外へ輸出され、その輸出された国で廃棄されるワンウェイタイプとして使用される。
【００１５】
図１に示すように、パレット１１の長辺側及び短辺側において、隅部桁２１と中間桁２２との間には両桁２１，２２の上端部間を連結するように水平方向に延びる上部桟としての側部上部桟３１が架設されている。前記側部上部桟３１は、上面デッキ１３の側部（周縁部）を構成し、図２（ａ）、（ｂ）に示すように、各側部上部桟３１は前記フォーク挿入孔１２の上部を形成している。
【００１６】
図１に示すように、前記側部上部桟３１は、横リブ３１ａと縦リブ３１ｂとから構成されている。図３（ａ）、（ｂ）及び図４（ａ）、（ｂ）に示すように、前記横リブ３１ａはパレット１１の側辺の延びる方向に沿って平行に延び、フォーク挿入孔１２へのフォークの挿入方向とほぼ直交方向に延びるように形成されている。
【００１７】
また、縦リブ３１ｂはパレット１１の側辺の延びる方向に対して略垂直に延び、フォーク挿入孔１２へのフォークの挿入方向とほぼ平行方向に延びるとともに、前記横リブ３１ａに対して略垂直に交差するように形成されている。図１に示すように、パレット１１の長辺側に形成された横リブ３１ａの長さ方向への長さＬ１と、短辺側の横リブ３１ａの長さ方向への長さＬ２は同じに形成されている。
【００１８】
図３（ｂ）及び図４（ｂ）に示すように、前記側部上部桟３１の下方位置には、両桁２１，２２の下端部間を連結するように水平方向に延びる下部桟としての複数の側部下部桟３２が架設されており、両桁２１，２２の下端部間を連結して下面デッキ１４を形成している。そして、前記側部下部桟３２も横リブ３２ａと縦リブ３２ｂとから構成され、それら横リブ３２ａ、縦リブ３２ｂは前記横リブ３１ａ、縦リブ３１ｂと同様の構成となっている。
【００１９】
図１に示すように、中間桁２２と中央桁２３との間には、両桁２２，２３の上端部間を連結するように水平方向に延びる上部桟としての複数の中央部上部桟３６が架設され、中央部上部桟３６によって上面デッキ１３の中央部を構成している。これら中央部上部桟３６の下方位置には、両桁２２，２３の下端部間を連結するように水平方向に延びる下部桟としての複数の中央部下部桟３７が架設され、下面デッキ１４を形成している。
【００２０】
下面デッキ１４において、隅部桁２１と同隅部桁２１の両側の中間桁２２との間の側部下部桟３２及び中間桁２２と中央桁２３との間の中央部下部桟３７に囲まれた位置には下面開口部（図示せず）が形成されている。即ち、パレット１１の底面視において、下面デッキ１４は田の字状をなし、各下面開口部にハンドリフトの車輪が入り込み可能になっている。
【００２１】
そして、中間桁２２、中央桁２３、中央部上部桟３６及び中央部下部桟３７により、フォーク挿入孔１２が形成されている。図２（ｂ）に示すように、各フォーク挿入孔１２の上端から下端までの長さ、即ちフォーク挿入孔１２の開口高さＨ２は８０〜９０ｍｍに設定され、フォークリフトのフォーク又はハンドリフトのフォークが挿入可能に形成されている。
【００２２】
図１に示すように、各隅部桁２１は、同隅部桁２１の長辺側がパレット１１の長辺側に位置するように形成され、短辺側がパレット１１の短辺側に位置するように形成されている。また、図２（ａ）、（ｂ）に示すように、パレット１１の長辺側に形成されたフォーク挿入孔１２の開口幅と、パレット１１の短辺側に形成されたフォーク挿入孔１２の開口幅とは同じに形成されている。
【００２３】
図３（ａ）及び図４（ａ）に示すように、隅部桁２１は、相対向する一対の長側壁２１ａと、相対向する一対の短側壁２１ｂとにより平面長方形状をなす四角筒状に形成されている。各隅部桁２１の内部には上面デッキ１３のコーナ部を形成する隅部桁２１のコーナから同隅部桁２１内へ延びる斜めリブとしての斜方仕切板４１が設けられている。この斜方仕切板４１は隅部桁２１の上端から下端にかけて連続して延びるとともに、隅部桁２１内へ延設され、その上下端縁は隅部桁２１の上下端面に沿って延設されている。
【００２４】
前記斜方仕切板４１の一端部には、隅部桁２１から同隅部桁２１の両側の中間桁２２方向へ延びる一対の仕切りリブとしての第１仕切板４２ａ及び第２仕切板４２ｂが分岐して形成されている。さらに、第１及び第２仕切板４２ａ，４２ｂはそれぞれ隅部桁２１のコーナ部を形成する隣接する長側壁２１ａ、短側壁２１ｂに繋がっている。
【００２５】
具体的には、一方の仕切りリブとしての前記第１仕切板４２ａは、斜方仕切板４１の一端部から長側壁２１ａに対して平行をなすように延び、一方の短側壁２１ｂの内面に繋がっている。一方、第２仕切板４２ｂは、斜方仕切板４１の一端部から短側壁２１ｂに対して平行をなすように延び、一方の長側壁２１ａの内面に繋がっている。前記第１及び第２仕切板４２ａ，４２ｂは、隅部桁２１内を仕切るべく隅部桁２１の上端から下端にかけて延びる板状に形成されている。
【００２６】
また、隅部桁２１内における第１及び第２仕切板４２ａ，４２ｂとの接合部４０には前記斜方仕切板４１が連結されて、第１及び第２仕切板４２ａ，４２ｂと斜方仕切板４１とともに隅部桁２１内を平面Ｙ字状に仕切っている。そして、隅部桁２１内には、一方の長側壁２１ａと、一方の短側壁２１ｂと、第１及び第２仕切板４２ａ，４２ｂとにより平面長方形状をなす四角筒状の筒状桁４９が形成されている。
【００２７】
図４（ａ）、（ｂ）に示すように、一方の仕切りリブとしての第１仕切板４２ａの中央部と、第１仕切板４２ａに対向する前記一方の短側壁２１ｂとの間には、パレット１１の短辺と平行に延びる縦壁としての区画壁４３が設けられている。区画壁４３は、第１仕切板４２ａから延設されているとともに、一方の短側壁２１ｂの内面に繋がり、隅部桁２１の上端から下端にかけて板状に延びるように形成されている。
【００２８】
そして、第１仕切板４２ａと、区画壁４３と、一方の長側壁２１ａと、一方の短側壁２１ｂとにより隅部桁２１内のコーナ部に、平面長方形状をなす内部桁４４が形成され、この内部桁４４は前記筒状桁４９内に形成されている。また、前記区画壁４３は板状をなすため、筒状桁４９内を区画し、さらに、隅部桁２１における上面デッキ１３の中央部側を区画している。
【００２９】
図４（ａ）に示すように、隅部桁２１の上端において、前記一方の長側壁２１ａと、一方の短側壁２１ｂとの間には、逆Ｕ字状桟５１が架設されている。この逆Ｕ字状桟５１は、同隅部桁２１内の上端に沿って水平に延びる水平部５１ａを備えるとともに、図６に示すように、水平部５１ａの両端部から一方の長側壁２１ａ及び一方の短側壁２１ｂの内面に沿って隅部桁２１の上端から下側へ向かってほぼ鉛直方向に延びるように垂直部５１ｂを備えている。
【００３０】
一方、隅部桁２１の下端において、前記一方の長側壁２１ａと、一方の短側壁２１ｂとの間には、Ｕ字状桟５２が架設されている。このＵ字状桟５２は、同隅部桁２１内の下端に沿って水平に延びる水平部５２ａを備えるとともに、水平部５２ａの両端部から一方の長側壁２１ａ及び一方の短側壁２１ｂの内面に沿って隅部桁２１の下端から上側へ向かってほぼ鉛直方向に延びるように垂直部５２ｂを備えている。そして、前記垂直部５１ｂと垂直部５２ｂとが対向する側面が互いに一体化されて内部桁４４内を仕切る補強リブ５６が形成されている。この補強リブ５６は隅部桁２１内の隣接する長側壁２１ａと短側壁２１ｂとの間に架設されている。
【００３１】
図４（ａ）に示すように、第１仕切板４２ａは、パレット１１の長辺に沿って延びる側部上部桟３１を構成する横リブ３１ａと接合部４５で連結され、第１仕切板４２ａと横リブ３１ａとは平面視において同一直線上に位置するように構成されている。一方、図３（ａ）に示すように、第２仕切板４２ｂは、パレット１１の短辺に沿って延びる側部上部桟３１を構成する横リブ３１ａと接合部４６で連結され、第２仕切板４２ｂと横リブ３１ａとは平面視において同一直線上に位置するように構成されている。
【００３２】
一方、図５に示すように、第１仕切板４２ａは、パレット１１の長辺に沿って延びる側部下部桟３２を構成する横リブ３２ａと接合部４７で連結され、第１仕切板４２ａと横リブ３２ａとは平面視において同一直線上に位置するように構成されている。さらに、第２仕切板４２ｂは、パレット１１の短辺に沿って延びる側部下部桟３２を構成する横リブ３２ａと接合部４８で連結され、第２仕切板４２ｂと横リブ３２ａとは平面視において同一直線上に位置するように構成されている。即ち、第１及び第２仕切板４２ａ，４２ｂは隅部桁２１の両側の中間桁２２方向へ延びる横リブ３１ａ，３２ａと連結されている。
【００３３】
図３（ａ）及び図４（ａ）に示すように、中間桁２２は、四角筒状に形成され、図１に示すように、中間桁２２のパレット１１の長辺側及び短辺側に沿った長さＬ３は同じに形成されている。そして、パレット１１の長辺側において、隣接する隅部桁２１間における中間桁２２と側部上部桟３１の合計の長さＷ１（Ｌ１＋Ｌ１＋Ｌ３）は、パレット１１の短辺側における隣接する隅部桁２１間における中間桁２２と側部上部桟３１の合計の長さＷ２（Ｌ２＋Ｌ２＋Ｌ３）と同じに形成されている。
【００３４】
図３（ａ）及び図４（ａ）に示すように、中間桁２２の内部には中間桁２２の対向する側部間を縦横に繋ぐ仕切りリブとしての第３仕切板７１及び第４仕切板７２が設けられている。これら両仕切板７１，７２はいずれも、中間桁２２の側部内側面中央位置から突設されているうえ、その上下端縁は中間桁２２の上下端面に沿って延設されている。そして、これら両仕切板７１，７２により、中間桁２２の内部は平面十字状に仕切られている。
【００３５】
パレット１１の長辺側及び短辺側において、中間桁２２の第３仕切板７１は、同中間桁２２の両側に位置する側部上部桟３１の横リブ３１ａの１本と接合部７５で連結され、第３仕切板７１と横リブ３１ａとは平面視において同一直線上に位置するように構成されている。また、図５に示すように、第３仕切板７１は中間桁２２の両側に位置する側部下部桟３２の横リブ３２ａの１本と接合部７６で連結され、第３仕切板７１と横リブ３２ａとは平面視において同一直線上に位置するように構成されている。
【００３６】
その結果、図３（ａ）に示すように、パレット１１の短辺側において、中間桁２２の両側の横リブ３１ａ，３２ａにより、同中間桁２２の両側の隅部桁２１の第２仕切板４２ｂ同士が連結され、さらに、横リブ３１ａ，３２ａにより各第２仕切板４２ｂと第３仕切板７１とが連結されている。そして、横リブ３１ａ，３２ａ、第２仕切板４２ｂ及び第３仕切板７１が平面視において同一直線上に位置し、隣接する隅部桁２１とその間の中間桁２２が連結されている。
【００３７】
一方、図４（ａ）に示すように、パレット１１の長辺側において、中間桁２２の両側の横リブ３１ａ，３２ａにより、同中間桁２２の両側の隅部桁２１の第１仕切板４２ａ同士が連結され、さらに、横リブ３１ａ，３２ａにより各第１仕切板４２ａと第３仕切板７１とが連結されている。
【００３８】
図３（ａ）及び図４（ａ）に示すように、各隅部桁２１内において、第１仕切板４２ａと第２仕切板４２ｂとは連結されている。そのため、第１仕切板４２ａ、第２仕切板４２ｂにより、隅部桁２１の両側の中間桁２２へ延びる横リブ３１ａ，３２ａが連結されている。
【００３９】
そして、横リブ３１ａ，３２ａが第３仕切板７１に連結されていることにより、第１及び第２仕切板４２ａ，４２ｂ、第３仕切板７１及び横リブ３１ａ，３２ａがパレット１１の四側周縁部に沿って四角環状に一本に連結されている。その結果、パレット１１の四側周縁部では、隅部桁２１、中間桁２２、側部上部桟３１及び側部下部桟３２が連結されて平面視において四角環状に形成されている。図１に示すように、中央桁２３は、四角筒状に形成されている。
【００４０】
次に、上記パレット１１の作用について説明する。
パレット１１を載置物を載置しない状態で複数段に積載したとき、高さ１５０ｍｍの繰り返し使用タイプのパレットを同数だけ積載した場合よりも、パレット１１全体の高さを低くすることができる。
【００４１】
さて、パレット１１の上面デッキ１３に載置物（図示せず）を載置し、パレット１１の長辺側のフォーク挿入孔１２内へフォークリフト又はハンドリフトの２本のフォークを挿入した後、それらフォークを所定高さに持ち上げてパレット１１が運搬される。上面デッキ１３には、上面デッキ１３の上方からの外力、即ち、載置物の荷重が作用し、前記荷重は上面デッキ１３の全体へ分散され、さらに、上面デッキ１３及び側部上部桟３１から各隅部桁２１の長側壁２１ａ及び短側壁２１ｂに分散されることとなる。
【００４２】
このとき、図３（ａ）、（ｂ）に示すように、各隅部桁２１において、上面デッキ１３の中央部側のコーナ部を形成する長側壁２１ａ及び短側壁２１ｂの内側には内部桁４４、その内部桁４４の外側に筒状桁４９が一体的に形成されている。そのため、前記荷重は隅部桁２１内の内部桁４４及び筒状桁４９に分散される。
【００４３】
さらに、内部桁４４には補強リブ５６が架設されているため、内部桁４４に分散された荷重はさらに、補強リブ５６に支持される。加えて、隅部桁２１内において、筒状桁４９と、隅部桁２１の一コーナ部に形成された斜方仕切板４１とが一体的に形成されている。そのため、内部桁４４及び筒状桁４９に分散された荷重は第１及び第２仕切板４２ａ，４２ｂから斜方仕切板４１に分散され、さらに、斜方仕切板４１から内部桁４４を形成しない隅部桁２１の長側壁２１ａ及び短側壁２１ｂに分散される。
【００４４】
即ち、隅部桁２１に作用した荷重は、隅部桁２１として一体的に形成された長側壁２１ａ、短側壁２１ｂ、斜方仕切板４１、第１及び第２仕切板４２ａ，４２ｂ、区画壁４３、補強リブ５６に分散される。その結果、前記荷重は隅部桁２１全体で支持されることとなり、隅部桁２１の外力に対する強度が確保される。さらに、内部桁４４を形成する隅部桁２１の長側壁２１ａ、短側壁２１ｂ、第１仕切板４２ａ及び区画壁４３、加えて筒状桁４９を形成する第２仕切板４２ｂはそれぞれ板状をなすため、前記荷重が効果的に支持される。
【００４５】
従って、各隅部桁２１が、繰り返し使用されるタイプのパレットより高さが低く形成されていても、前記荷重に対する強度を確保し、変形が防止される。そのため、強度が確保された隅部桁２１に連結された側部上部桟３１も、前記荷重に対する強度を確保することができ、ひいては上面デッキ１３全体の荷重に対する強度を確保することができる。
【００４６】
また、フォークによりパレット１１を持ち上げたとき、フォークに近接するパレット１１の長辺側の側部上部桟３１には、フォークより及ぼされる上方への支持力が作用する。このとき、図４（ａ）に示すように、パレット１１の長辺側の側部上部桟３１は隅部桁２１の短側壁２１ｂ及び中間桁２２に連結され、さらに横リブ３１ａは、中間桁２２の第３仕切板７１及び隅部桁２１の第１仕切板４２ａと同一直線上に位置し、一体的に連結されている。そのため、前記支持力がパレット１１の長辺側の横リブ３１ａから隅部桁２１、中間桁２２に分散され、さらに隅部桁２１内の第１仕切板４２ａ及び中間桁２２内の第３仕切板７１に分散される。
【００４７】
このとき、前記第１仕切板４２ａは、接合部４５において第２仕切板４２ｂ及び斜方仕切板４１と連結されているとともに、区画壁４３と連結されている。さらに、第２仕切板４２ｂ及び区画壁４３は隅部桁２１の短側壁２１ｂに連結されている。そのため、前記支持力は、隅部桁２１として一体的に形成された長側壁２１ａ、短側壁２１ｂ、斜方仕切板４１、第１及び第２仕切板４２ａ，４２ｂ及び区画壁４３に分散される。その結果、隅部桁２１全体で支持力が支持される。
【００４８】
また、中間桁２２の第３仕切板７１は中間桁２２の全高さに亘って延びるように形成されている。そのため、第３仕切板７１が中間桁２２の全高さに亘って形成されていない場合と比較して、前記支持力に対する強度が高められている。
【００４９】
加えて、各隅部桁２１において、第１仕切板４２ａは第２仕切板４２ｂと連結されているため、パレット１１の長辺側に作用した支持力は、第２仕切板４２ｂを介してパレット１１の短辺側へ分散される。このとき、第２仕切板４２ｂに対して、パレット１１の短辺側の横リブ３１ａ，３２ａ、さらに中間桁２２の第３仕切板７１が一体的に連結され、横リブ３１ａ，３２ａにより中間桁２２を介して隣接する隅部桁２１に連結されている。そのため、支持力がパレット１１の長辺側から短辺側へ分散され、さらに、上記と同様の作用により前記支持力がパレット１１の四側周縁部全体に分散されてパレット１１の全体で支持される。
【００５０】
さらに、パレット１１の長辺側及び短辺側において、側部下部桟３２の横リブ３２ａ、中間桁２２の第３仕切板７１及び隅部桁２１の第１及び第２仕切板４２ａ，４２ｂとが同一直線上に位置し、一体的に連結されている。そのため、例えば、パレット１１が落下して、パレット１１の下面デッキ１４側に外力が作用しても、上記と同様に、パレット１１の下方からの外力がパレット１１の四側周縁部全体に分散される。
【００５１】
次に、上記実施形態によって発揮される効果について説明する。
（１）各隅部桁２１には、内部桁４４及び筒状桁４９が一体的に形成されているとともに、筒状桁４９には斜方仕切板４１が一体的に形成され、それら斜方仕切板４１、内部桁４４及び筒状桁４９により隅部桁２１内が仕切られている。そのため、隅部桁２１に作用した荷重、支持力等の外力を、隅部桁２１全体に分散、支持させることができ、繰り返し使用されるパレットよりも隅部桁２１の高さが低くされていても、隅部桁２１の外力に対する強度を確保することができる。
【００５２】
（２）斜方仕切板４１、第１及び第２仕切板４２ａ，４２ｂ、区画壁４３はそれぞれ板状に形成されている。そのため、それぞれ枠状に形成されている場合と比較して外力等を効果的に支持することができ、隅部桁２１の強度を確実に確保することができる。
【００５３】
（３）隅部桁２１の外力に対する強度が確保されているため、繰り返し使用されるパレットと比較して上面デッキ１３の厚みが薄く、桁の高さが低く形成されていても、載置物の荷重により隅部桁２１が変形するおそれを無くすことができる。従って、外力に対して強度が確保された隅部桁２１に連結された側部上部桟３１の外力に対する強度を確保することができる。さらには、隅部桁２１に対して側部上部桟３１、中間桁２２が連結され、その中間桁２２に中央桁２３が連結されることにより、上面デッキ１３全体の外力に対する強度を確保して上面デッキ１３の変形等のおそれをなくすことができる。
【００５４】
（４）隅部桁２１内には、筒状桁４９が一体的に形成され、さらに筒状桁４９内には内部桁４４が一体的に形成されている。そのため、隅部桁２１内に内部桁４４又は筒状桁４９のどちらか一方のみが形成されている場合と比較して隅部桁２１の外力に対する強度を高めることができる。
【００５５】
（５）内部桁４４及び筒状桁４９により、載置物の荷重が最も大きく作用する隅部桁２１の上面デッキ１３の中央側の強度を確保することができ、隅部桁２１の変形等のおそれを無くすことができる。
【００５６】
（６）各隅部桁２１の第１仕切板４２ａには区画壁４３が連結されている。そのため、隅部桁２１の短辺側と比較して強度の低い長辺側の強度を、区画壁４３により高めることができ、隅部桁２１全体の強度を高めることができる。
【００５７】
（７）パレット１１の長辺側の側縁部において、横リブ３１ａと第１仕切板４２ａ及び横リブ３１ａとが一体的に連結されているため、側部上部桟３１に作用した支持力は横リブ３１ａから隅部桁２１及び第１仕切板４２ａに分散される。従って、横リブ３１ａと第１仕切板４２ａとが連結されず、支持力が隅部桁２１の特定の箇所、特に長側壁２１ａ及び短側壁２１ｂのみで支持される場合と比較して、隅部桁２１の外力に対する強度を確保して変形等のおそれをなくすことができる。
【００５８】
（８）パレット１１の長辺側の側縁部において、中間桁２２と、その中間桁２２の両側の横リブ３１ａ，３２ａとが連結され、さらに、横リブ３１ａ，３２ａにより隣接する隅部桁２１内の第１及び第２仕切板４２ａ，４２ｂ同士が連結されている。そのため、側部上部桟３１に作用した支持力、荷重等の外力を隅部桁２１、中間桁２２に分散し、さらに、隅部桁２１全体及び中間桁２２全体に分散させることができる。従って、外力を隅部桁２１のみで支持する場合と比較して、隅部桁２１の外力に対する強度を確保して変形等のおそれを無くすことができる。
【００５９】
（９）パレット１１の長辺側及び短辺側において、側部下部桟３２の横リブ３２ａ、中間桁２２の第３仕切板７１及び隅部桁２１の第１及び第２仕切板４２ａ，４２ｂとが同一直線上に位置し、一体的に連結されている。そのため、パレット１１の下面デッキ１４側に外力が作用しても、外力をパレット１１の四側周縁部全体に分散することができる。従って、横リブ３２ａと第１及び第２仕切板４２ａ，４２ｂとが連結されず、外力をパレット１１の特定の箇所で支持する場合と比較して、パレット１１の下面デッキ１４側の外力に対する強度を高めることができる。
【００６０】
（１０）横リブ３１ａ，３２ａ、第１及び第２仕切板４２ａ，４２ｂ、第３仕切板７１はパレット１１の四側周縁部全体に亘って四角環状に連結されているため、支持力及び荷重をパレット１１全体に分散することができる。従って、支持力及び荷重をパレット１１の特定の桁２１，２２，２３のみで支持する場合と比較して、外力に対する強度を高めることができ、上面デッキ１３の外力に対する強度を確保することができる。
【００６１】
（１１）内部桁４４内には補強リブ５６が架設されているため、隅部桁２１内の内部桁４４に外力が作用しても補強リブ５６により外力を支持することができ、内部桁４４ひいては隅部桁２１の変形等のおそれを無くすことができる。
【００６２】
（１２）パレット１１の高さＨ１は１３０ｍｍに設定され、繰り返し使用されるタイプのパレットの高さ１５０ｍｍより低く形成されている。そのため、パレット１１のみを複数段に積載したとき、繰り返し使用されるタイプと比較して積載効率を高めることができる。また、パレット１１を製造するための合成樹脂材料を節約してパレット１１を安価に製造することができる。
【００６３】
なお、本実施形態は次のように変更して具体化することも可能である。
・  実施形態では、中間桁２２の第３仕切板７１と横リブ３１ａ，３２ａとを連結して、平面視において同一直線上に位置するように形成したが、第３仕切板７１と横リブ３１ａ，３２ａとを連結しなくてもよい。
【００６４】
・  第１及び第２仕切板４２ａ，４２ｂの上部と側部上部桟３１の横リブ３１ａのみを連結し、第１及び第２仕切板４２ａ，４２ｂの下部と横リブ３２ａとを連結しなくてもよい。
【００６５】
・  実施形態では、内部桁４４内に補強リブ５６を形成したが、補強リブ５６を省略してもよい。また、逆Ｕ字状桟５１とＵ字状桟５２とを連結して補強リブ５６を形成したが、逆Ｕ字状桟５１及びＵ字状桟５２の代わりに、補強リブ５６を板状又は枠状に形成してもよい。
【００６６】
・  実施形態では、第１仕切板４２ａと第２仕切板４２ｂのそれぞれに横リブ３１ａ，３２ａを連結して四角環状に連結したが、第１仕切板４２ａと横リブ３１ａ，３２ａのみを連結してもよく、又は第２仕切板４２ｂと横リブ３１ａ，３２ａのみを連結してもよい。
【００６７】
・  実施形態では、隅部桁２１内の仕切りリブとして隅部桁２１内を仕切る第１及び第２仕切板４２ａ，４２ｂに具体化したが、第１及び第２仕切板４２ａ，４２ｂを枠状に形成してもよい。さらに、第１及び第２仕切板４２ａ，４２ｂを補強リブ５６のように逆Ｕ字状桟及びＵ字状桟とを接合して形成された仕切りリブに具体化してもよい。
【００６８】
・  実施形態では、斜方仕切板４１を板状に形成したが、斜方仕切板４１を枠状に形成してもよい。さらに、斜方仕切板４１を補強リブ５６のように逆Ｕ字状桟及びＵ字状桟とを接合して形成された仕切りリブに具体化してもよい。
【００６９】
・  隅部桁２１内に第１仕切板４２ａ及び第２仕切板４２ｂをそれぞれ二つ以上形成し、中間桁２２内に第３仕切板７１を二つ以上形成し、二本以上の横リブ３１ａに第１及び第２仕切板４２ａ，４２ｂと第３仕切板７１とをそれぞれ連結してもよい。
【００７０】
・  実施形態では、第１仕切板４２ａと第２仕切板４２ｂのそれぞれに横リブ３１ａ，３２ａを連結して平面視同一直線としたが、第１仕切板４２ａ又は短辺側の第２仕切板４２ｂのいずれか一方のみに横リブ３１ａ，３２ａを連結して平面視同一直線状となるように形成してもよい。さらには、第１仕切板４２ａと第２仕切板４２ｂのそれぞれに対して横リブ３１ａ，３２ａを連結しなくてもよい。
【００７１】
・  実施形態では、第１仕切板４２ａに対して区画壁４３を一箇所だけ形成したが、区画壁４３を二箇所形成に形成してもよい。
・  実施形態では、パレット１１の長辺側のフォーク挿入孔１２からフォークを挿入したが、パレット１１の短辺側のフォーク挿入孔１２からフォークを挿入してパレット１１を上方に持ち上げてもよい。
【００７２】
・  実施形態では、区画壁４３を板状に形成したが、区画壁４３の代わりに縦壁を補強リブ５６のように逆Ｕ字状桟及びＵ字状桟とを接合して形成された仕切りリブに具体化してもよい。具体的には、第１仕切板４２ａの上端部と、同第１仕切板４２ａに対向する一方の短側壁２１ｂの上端部との間に前記逆Ｕ字状桟５１を架設する。さらに、前記逆Ｕ字状桟５１と上下に重なり合わない位置に、第１仕切板４２ａの下端部と、同第１仕切板４２ａに対向する一方の短側壁２１ｂの下端部との間に前記Ｕ字状桟５２を架設する。
【００７３】
そして、逆Ｕ字状桟５１の垂直部５１ｂとＵ字状桟５２の垂直部５２ｂとを対向する側面で互いに一体化してリブを形成し、そのリブを縦壁としてもよい。さらに、区画壁４３の代わりに、第１仕切板４２ａと、同第１仕切板４２ａに対向する一方の短側壁２１ｂとの間に、枠状をなす縦壁を形成してもよい。
【００７４】
・  実施形態では、下面デッキ１４に下面開口部を形成し、フォーク挿入孔１２の開口高さＨ２を８０〜９０ｍｍに設定したが、下面開口部を省略するとともに、フォーク挿入孔１２の開口高さＨ２を８０〜９０ｍｍ以外に設定して、パレット１１を両面使用としてもよい。
【００７５】
次に上記実施形態及び別例から把握できる技術的思想について、それらの効果とともに以下に追記する。
【００７６】
（１）前記中間桁内に、同中間桁の上端から下端にかけて延びる仕切りリブを形成し、当該中間桁の仕切りリブと、前記隅部桁の仕切りリブと連結された上部桟とを連結したことを特徴とするパレット。このように構成した場合、上面デッキに作用した外力が隅部桁だけでなく、中間桁に分散され、さらに、その外力を中間桁の仕切りリブに支持させることができる。
【００７７】
（２）前記仕切りリブに対し、上部桟及び下部桟を連結したことを特徴とするパレット。このように構成した場合、下面デッキ側に外力が作用しても、外力を隅部桁以外に分散することができ、隅部桁の外力に対する強度をより高めることができる。
【００７８】
【発明の効果】
以上、詳述したように、請求項１に記載の発明によれば、繰り返し使用されるタイプよりも高さが低く形成されたワンウェイタイプにおいて、隅部桁の外力に対する強度を確保することができる。また、外力を四側周縁部全体に分散して隅部桁の外力に対する強度をより一層確保することができ、上面デッキの変形等のおそれをなくすことができる。
【図面の簡単な説明】
【図１】実施形態のパレットを示す平面図。
【図２】（ａ）は実施形態のパレットの長辺側を示す側面図、（ｂ）はパレットの短辺側を示す側面図。
【図３】（ａ）は実施形態のパレットの短辺側を示す部分平面図、（ｂ）は図３（ａ）の３ｂ−３ｂ線断面図。
【図４】（ａ）は実施形態のパレットの長辺側を示す部分平面図、（ｂ）は図４（ａ）の４ｂ−４ｂ線断面図。
【図５】実施形態のパレットの部分底面図。
【図６】補強リブを示す図４（ａ）の６−６線断面図。
【符号の説明】
１１…パレット、１２…フォーク挿入孔、１３…上面デッキ、１４…下面デッキ、２１…隅部桁、２１ａ…長側壁、２１ｂ…短側壁、２２…中間桁、２３…中央桁、３１…上部桟としての側部上部桟、３２…下部桟としての側部下部桟、３６…上部桟としての中央部上部桟、３７…下部桟としての中央部下部桟、４１…斜めリブとしての斜方仕切板、４２ａ…仕切りリブとしての第１仕切板、４２ｂ…仕切りリブとしての第２仕切板、４３…縦壁としての区画壁、４４…内部桁。
【図１】
0003980879.tif 000002
【図２】
0003980879.tif 000003
【図３】
0003980879.tif 000004
【図４】
0003980879.tif 000005
【図５】
0003980879.tif 000006
【図６】
0003980879.tif 000007